【事件の表示】
　平成１１年特許願第３０５９８０号「遊技機」拒絶査定不服審判事件〔平成１２年４月４日出願公開、特開２０００−９３５８１〕について、次のとおり審決する。
【結　論】
　本件審判の請求は、成り立たない。
【理　由】
１．手続の経緯
　本願は、平成４年１１月２日に出願された特願平４−３１７７５９号の特許出願の一部を分割して、平成１１年１０月２７日に新たに特許出願として出願された特願平１１−３０５９８０号に係り、平成１１年１０月２９日付の出願審査請求とともに明細書を補正する同日付の手続補正書が提出され、原審における平成１５年２月１７日付の拒絶理由通知に対し、平成１５年４月２１日付の意見書とともに明細書を補正する同日付の手続補正書が提出され、前記拒絶理由による平成１５年５月２９日付でなされた拒絶査定に対し、拒絶査定不服審判の請求が平成１５年７月２日になされるとともに、審判請求の日から３０日以内の平成１５年７月３１日付で明細書を補正する手続補正書が提出されたものである。
　
２．本願発明
　当審の審理の対象とすべき本願発明は、平成１５年７月３１日付けの手続補正により補正された明細書の特許請求の範囲の請求項１及び請求項２に記載された事項により特定されるとおりのものであるところ、特にその請求項１に係る発明（以下、これを「
本願発明１
　「【請求項１】　電源と電気的に接続されるプラグを備えた遊技機であって、　遊技機本体の裏面に電源から切り離した前記プラグを差込み可能なプラグ受けを有することを特徴とする遊技機。」
　
３．引用刊行物における記載事項
（１）原審における拒絶査定の理由に引用された刊行物であって、本願の特許出願前に頒布された特開平４−２００５７６号公報（以下、「
引用刊行物１
「第２１図は、裏側に前記裏機構盤８００が設置されたパチンコ遊技機１の背面図である。
　裏機構盤８００の裏面中段左側には役物制御装置６００が設置されている。この役物制御装置６００は、詳細は後述するように遊技盤３に配設された変動入賞装置１０、補助変動入賞装置５０等の各種作動部、並びに遊技盤３に設置された各種装飾ＬＥＤ／ランプの作動を制御することを主たる機能として構成されている。」（公報16頁右下欄６行〜同１４行）
「また、裏機構盤８００の裏面基盤９００にはランプ情報に関与する外部接続端子９ｏ１、球の補給情報に関与する外部接続端子９０２、および発射装置制御に関与する外部接続端子９０３等が配設され、電源端子９０４には一端に電源（図外）への差込みプラグ９０６を有するコード９０７が接続されている。
　また、裏機構盤８００の前記役物制御装置６００の下方には賞球排出用モータ８６０、および打球発射装置９２０を構成する打球発射用モータ９２１が設置されている。
　また、パチンコ遊技機１の裏面の右側下部には、遊技機ｌの遊技状態に応じた効果音を出力するスピーカ９３０が設置されている。」（公報1７頁右上欄６行〜同１９行）
　
　そうすると、引用刊行物１の上記摘記事項の記載及び第２１図の図示からみて、前記引用刊行物１には、次の発明（以下、これを、「
引用発明１
　「パチンコ遊技機１の裏側に設置された裏機構盤８００の裏面基盤９００に配設された電源端子９０４に、一端に電源への差込みプラグ９０６を有するコード９０７が接続されているパチンコ遊技機」
　
（２）本願の特許出願前に頒布された刊行物である実公昭６１−７４９８号公報（以下、「
周知技術文献１
「本考案は電気機器本体の背面下方などにストツパーあるいは電源プラグの仮固定を行なうタイプのものに関し、電気機器の梱包時に梱包箱体が上方よりストツパーあるいは電源プラグに衝突し、これらを破損することを防止するものである。
　従来、第４図、第５図に示すように、電気機器例えば冷蔵庫においては、本体ａの背面下方にストッパーｂを設け、またその隣りには電源プラグｃを仮固定するプラグ挿入孔ｄを形成してこれを支持していた。しかし、かかる構成にて、本体ａの上方より梱包箱体ｅを落下させ梱包するときに、ストッパーｂあるいは電源プラグｃに当たりストッパーｂの破損または電源プラグｃの外れ等の問題があった。
　本考案はかかる欠点をなくすものであり、以下第１図〜第３図を参照しながら、その一実施例を説明する。
　１は冷蔵庫の本体であり、その背面下方には圧縮機、コンデンサ（図示せず）を収納する機械室を構成してあり、２は機械室カバーである。このカバー２の両側には合成樹脂で形成したカバー取付用の取付具３を設けてある。４，５，６は順次上方よりカバー取付具３に一体に形成した梱包箱体案内部、背面ストッパー、電源プラグ挿入部である。
　梱包箱体案内部４は上方より下方へかけて背面の外側へ傾斜した傾斜部４ａを有しており、最大高さ寸法は本体１を屋内壁面におしつけて配置するときのストツパーをなす背面ストツパー５の突出寸法Ｈと略同等かそれ以上の突出代ｈを有している。また電源プラグ挿入部６は、電源プラグ７を挿入する一対の溝６ａを備えている。
　かかる構成において、電源プラグ７を溝６ａに差し込み電源プラグ挿入部６にセットし、続いて第３図の如く梱包箱体８を本体１の上方から落下さして梱包すると、その下辺端８ａは梱包体案内部４の傾斜部４ａにそって本体１の背方に偏倚されつつ落下し、下辺端８ａが背面ストッパ５あるいは電源プラグ７に衝突することを防止できる。
　本考案は上記したように、本体背面の下方に、背面ストツパあるいは電源プラグの上方に、これらの突出代と略同等かそれ以上の突出寸法を有する傾斜部を備えた梱包箱体案内部を設けたもので、これにより本体上方から梱包箱体の落下装填に際して、背面ストッパー、電源プラグの損傷、外れ等を防止でき、かつスムーズに梱包箱体をセットできる等の効果を有する。」（公報１欄１０行〜２欄２７行）
　
（３）本願の特許出願前に頒布された刊行物である特開昭６３−７００７２号公報（以下、「
周知技術文献２
「〔産業上の利用分野〕
　　本発明は冷蔵庫に係り、特に冷蔵庫を容易にし、かつ冷蔵庫用プラグの処理を容易にする好適な冷蔵庫に関する。
　〔従来の技術〕
　　従来のこの種冷蔵庫用運搬把手は、通常冷蔵庫背面上部に取付けられていたが、そのものは一般に直線形状的なものであり、丁度手のひらが冷蔵庫上面にかかり、指がその把手にかかるといったものであった。又この種冷蔵庫に於ける電源コード先端のプラグの処理はテープ等で、本体に固定するといったものであった。
　〔発明が解決しようとする問題点〕
　　上記従来技術は、運搬者は、常に手をかける方向が決められてしまう他、常に冷蔵庫を指で支えている恰好になるので手が疲れる等の問題点があった。又プラグの処理にテープ等を使わなければならないと云う問題があった。
　　本発明の目的は、冷蔵庫の運搬時、状況に応じて冷蔵庫を持ち上げることができ、かつ冷蔵庫のプラグをテープで処理する必要のない冷蔵庫を提供することにある。
　〔問題点を解決するための手段〕
　　上記目的は、冷蔵庫の背部上部に把手部が垂直部と水平部から成る搬用把手と上記垂直部と水平部の稜線部が冷蔵庫本体の上面と側面が作る稜線部に略合致するよう取付けると共に、上記垂直把手部等に電源コード先端のプラグ仮止め部を設けることにより達成される。
　〔作用〕
　　冷蔵庫の運搬時、手のひらが冷蔵庫の上面にもかかるし、側面にもかかる。従って、比較的長い間持たなければならない時等は、手のひらが冷蔵庫の側面にかかるようにして、その冷蔵庫を抱えこむ形をとることが出来るものである又、電源コードのプラグを、把手部内に収納させるようにして、仮止めさせていることにより梱包時の緩衝材８を第３図に示す如く置いた場合にも、プラグがその緩衝材８により外されると云うことがないものである。
　〔実施例〕
　　以下、本発明の一実施例を第１図、第２図、第３図により説明する。
　　１は冷蔵庫本体、２は扉、３は上記冷蔵庫本体１の背面上部に取付けられた運搬用把手、この運搬用把手３は把手部が垂直部３ａと水平部３ｂから成っており、「状をなしている。しかしてこの運搬用把手３の冷蔵庫本体１への取付けは図に示すよう運搬用把手の稜線部Ａが冷蔵庫本体の上面１ａと側面１ｂが作る稜線部Ｂと略合致するよう取付られている。４は電源コード、５はそのプラグである。このプラグ５は運搬時等、先の運搬用把手３が持つ把手部に形成された、仮止め穴６に刃の部分を挿入して固定される。この固定状況は第２図に示す如く、把手部内に丁度、プラグが収納されるような形で固定される。又、電源コード４は、把手と一体に設けた掛部７に係止されている。
　〔発明の効果〕
　　本発明によれば、冷蔵庫の運搬時、状況に応じた持ち方ができる他、プラグの処理もテープ等を使用しなくとも出来るものである。又梱包の際、このプラグの取付けが梱包の邪魔をすることがないものである。」（公報１頁左欄１２行〜２頁右上欄１５行）
　
４．当審の判断
（１）対比及び一致点・相違点
　本願発明１と上記引用発明１とを対比すると、引用発明１の「電源への差込みプラグ９０６」、「パチンコ遊技機１」及び「パチンコ遊技機１の裏側に設置された裏機構盤８００の裏面基盤９００」のそれぞれが、本願発明１の「電源と電気的に接続されるプラグ」、「遊技機」及び「遊技機本体の裏面」のそれぞれに対応する。
　また、引用刊行物１の第２１図の図示からみて、引用発明１の「パチンコ遊技機の電源端子９０４に接続されているコード９０７の一端に有する電源への差込みプラグ９０６」は、本願発明１の「電源から切り離した前記プラグ」に対応するものであることは明らかである。
　そうすると、本願発明１と引用発明１とは、「電源と電気的に接続されるプラグを備えた遊技機であって、遊技機本体の裏面に電源から切り離した前記プラグを有する遊技機」である点で一致し、次の点で両者の構成が相違する。
　
相違点
　
（２）相違点についての検討
　電気機器（例えば、冷蔵庫等）を運搬する時などに、電気機器に接続されている電源コードの遊端側にある電源プラグが、その運搬の邪魔にならないようにするため、前記電源プラグの一対の差し込み刃を電気機器の裏面に設けてある差し込み刃挿入孔に差し込んでおいて、仮止めしておくことができるようにすることは、本願特許出願時の周知技術（
周知技術文献１
周知技術文献２
　そして、引用発明１のパチンコ遊技機も、本願発明１の遊技機と同様に、電源と電気的に接続されるプラグを備えた電気機器に含まれるものであることは明らかであるから、引用発明１のパチンコ遊技機に対して、前記周知技術を適用するに際しての阻害要因を見いだすことができない。
　してみれば、引用発明１のパチンコ遊技機本体の裏面に前記周知技術を採用することにより、本願発明１の上記相違点に係る前記「遊技機本体の裏面に電源から切り離したプラグを差込み可能なプラグ受けを有する」構成とすることは、当業者が格別の困難を要することなく容易になし得ることである。
　
　そして、本願発明１の奏する作用効果は、引用発明１及び周知技術から予測できる範囲内のものであって、格別のものということができない。
　
（３）まとめ
　したがって、本願発明１は、引用発明１及び周知技術に基いて当業者が容易に発明をすることができたものであるから、本願発明１は特許法第２９条第２項の規定により特許を受けることができない。
　
５．むすび
　以上のとおりであり、本願発明１は特許法第２９条第２項の規定により特許を受けることができないから、他の請求項に係る発明を検討するまでもなく、本願は、拒絶すべきものである。
　よって、結論のとおり審決する。